(57)【要約】      （修正有）【課題】栞の厚さ寸法をそれほど増やさず、従来の短冊型紙製栞とほぼ同等の薄さで目元や口元など顔の一部を映す鏡(ミラー)の機能を備えた栞を提供する。【解決手段】栞１００は平面視が横４０mm、縦１３０mm程度の短冊状に裁断され、厚さ０．２mm程度のコート紙からなる紙基材１０の片面全面にフィルムミラーを添設した構成。フィルムミラーはポリエステルフィルムからなる透明樹脂製シート２０に厚さ２,０００Åのアルミニウム蒸着層３０を配設してなり、アクリル系樹脂からなる感熱型接着剤層４０を介して添設した構成。【選択図】図２
0003139600.tif 000002
【実用新案登録請求の範囲】
【請求項１】
短冊型紙製シート基材に、金属部材を蒸着してなるプラスチック製フィルムミラーを添設したことを特徴とする栞。
【請求項２】
短冊型紙製シート基材の片面全面にフィルムミラーを配設したことを特徴とする請求項１記載の栞。
【請求項３】
紙製シート基材に代え、樹脂製シート基材としたことを特徴とする請求項１または請求項２のいずれか１項に記載の栞。
【考案の詳細な説明】
【技術分野】
【０００１】
本考案は、書物の間に挟みこんで読み終えたページの目印とする栞に係り、特に顔の目元、口元を拡大して映すことができる鏡(ミラー)を備えた栞に関する。
【背景技術】
【０００２】
従来、読みさしの本のページ覚えなどとして本に挟まれる栞は、紙などの素材で、横４０mm、縦１３０mm程度の大きさの短冊状に形成し、その上部に飾紐を結びつけたものが一般に使用されている。
また、老眼の人用に拡大鏡を備えた栞として例えば実開平６−６４９２６号公報が提案されている。
【特許文献１】実開平６−６４９２６号公報
【考案の開示】
【考案が解決しようとする課題】
【０００３】
しかし、紙とほぼ同等の薄さ(0.2mm〜0.3mm)で目元や口元など顔の一部を映す鏡(ミラー)の機能を備えた栞は提案されていなかった。
【０００４】
本考案は栞の厚さ寸法をそれほど増やさず、従来の紙製栞とほぼ同等の薄さで目元や口元など顔の一部を映す鏡(ミラー)の機能を備えた栞を提供することを目的とする。
【課題を解決するための手段】
【０００５】
本考案にかかる栞は、短冊型紙製シート基材に、金属部材を蒸着してなるプラスチック製フィルムミラーを添設したことを特徴としたもので、従来の紙製栞とほぼ同等の薄さで目元や口元など顔の一部を映すことができる。手帳に手軽に挟んで持ち歩ける。バッグに収納しても嵩張らず重くならない。
【０００６】
さらに本考案にかかる栞は、短冊型紙製シート基材の片面全面にフィルムミラーを配設したことを特徴としたもので、大型サイズの紙製シート基材とフィルムミラーをまずラミネートした後、所望の栞サイズに裁断することにより量産が可能でコストを低減できる。
【０００７】
さらに本考案にかかる栞は、紙製シート基材に代え、樹脂製シート基材としたことを特徴としたもので、使用過程で基材が破れたりボロボロになったりせず耐久性が増す。
【考案の効果】
【０００８】
上記構成により本考案の栞は、書物の間に挟みこんで読み終えたページの目印とできる。また、顔の目元、口元を映すことができる。栞を指で把持し撓ませて凹面鏡にすると目元、口元を拡大して見ることもできる。
【考案を実施するための最良の形態】
【０００９】
本考案にかかる栞は上述の通りである。栞を形成する短冊型紙基材は特に限定されるものでなく一般的なものを任意に選択すればよい。紙基材の厚さ(薄さ)は0.2mm以上と腰のある厚手が好ましい。親指と人差し指、中指、薬指とで挟持し少し撓ませて凹面鏡を形成するのに便利である。栞の大きさは横４０mm、縦１３０mm程度の短冊状に形成し、紙基材の片面もしくは両面に出版社等の広告文、イラスト等を所望に印刷しておいてもよい。飾り紐の有無も任意に選択すればよい。
【００１０】
フィルムミラーは光透過率の高い透明樹脂製シートにアルミニウムなどの反射率の高い金属を片面に５００Å〜２,０００Å程度の厚さに蒸着するのが好ましい。前記アルミ蒸着層に透明樹脂製シート本体を透過した光が反射することにより、前記シートは鏡面のように見えることとなる。
透明樹脂製シートは光透過率９０パーセント以上のポリエステルフィルム、ポリカーボネートフィルム、トリアセテートフィルムの内、いずれか一つを選ぶのが好ましい。透明樹脂製シートの厚みは、１０μｍ〜１００μｍの範囲で適宜選択すればよい。
【００１１】
紙基材とフィルムミラーとの積層一体化は市販のラミネーター機を用いて容易に実施できる。紙基材の片面に前記フィルムミラーを添設する構成、またはアルミニウムを蒸着していない透明樹脂製シートとアルミニウムを蒸着したフィルムミラーとの間に紙基材をサンドイッチする構成など任意に選択すればよい。勿論、前記フィルムミラーのアルミニウム蒸着面に粘着剤などの接着剤層を配設し、紙基材の片面に接着するようにしてもよい。接着剤層は感熱型、溶剤活性型など任意に設定すればよい。さらに、紙基材に代え任意の樹脂シートを用いた構成としてもよい。
【実施例１】
【００１２】
以下、本考案の栞を図面とともに説明する。図１は本考案の一実施例における栞の平面図、図２は図１を切断線S1〜S1で切断した側面方向の断面図を示す。
【００１３】
図1に示す栞１００は平面視が横４０mm、縦１３０mm程度の短冊状に裁断されている。紙基材１０は厚さ０．２mmのコート紙を用いた(カオリン塗工量２０g/ｍ２程度)。そして、紙基材１０の片面全面にアクリル系樹脂からなる感熱型接着層４０を介しフィルムミラーを添設した。感熱型接着剤層４０の塗布厚さは１０μｍ程度とした。符号２０は厚さ２０〜３０μｍのポリエステルフィルムからなる透明樹脂製シート、符号３０は厚さ２,０００Åのアルミニウム蒸着層を示す。フィルムミラーを積層した裁断前の紙基材サイズを例えばＡ２サイズとした。
【００１４】
上記構成により本考案の栞１００は書物の間に挟みこんで読み終えたページの目印とできる。また、顔の目元、口元等を映すことができる。栞を指で把持し撓ませて凹面鏡にすると目元、口元を拡大して見ることもできる。
【実施例２】
【００１５】
図３は本考案のもう一つの実施例における栞の平面図、図４は図３を切断線S2〜S2で切断した側面方向の断面図を示す。図３に示す栞２００の基本的な構成は実施例１の場合と同様である。この場合の栞２００は、紙基材２１０の片面に直径約２８mmの円形フィルムミラーを貼着した構成とした。符号２２０は厚さ２０〜３０μｍのポリエステルフィルムからなる透明樹脂製シート、符号２３０は厚さ２,０００Åのアルミニウム蒸着層、符号２４０はアクリル系粘着剤層を示す。アクリル系粘着剤層２４０の塗布厚さは１０μｍ程度とした。
【００１６】
上記構成により本考案の栞２００は書物の間に挟みこんで読み終えたページの目印とできる。また、顔の目元、口元等を映すことができる。
【産業上の利用可能性】
【００１７】
本考案は本に挟む栞、手帳に挟む栞以外に、たとえば名刺サイズの携帯型薄形手鏡などにも利用できる。
【図面の簡単な説明】
【００１８】
【図１】本考案の一実施例における栞の平面図
【図２】図１を切断線S1〜S1で切断した側面方向の断面図
【図３】本考案のもう一つの実施例における栞の平面図
【図４】図３を切断線S2〜S2で切断した側面方向の断面図
【符号の説明】
【００１９】
１０、２１０  紙基材
２０、２２０  透明樹脂製シート
３０、２３０  アルミニウム蒸着層
４０  接着剤層
２４０  粘着剤層
１００、２００  栞
【図１】
0003139600.tif 000003
【図２】
0003139600.tif 000004
【図３】
0003139600.tif 000005
【図４】
0003139600.tif 000006